(57)【要約】  ＰＤＳＮ等のネットワーク要素（１０）は、通信セッション中の移動局の動作状態の変化を検知し（３１）、そのような変化を検知することに応じて、追加的な通信セッションをサポートするために使用できるようにメモリ容量を自動的に増加させる（３２）と共に、該通信セッション中の後の可能性のある使用のために、少なくともいくつかのセッション情報を存続させる。例えば、この応答は、移動局が作動状態から休止状態へ変化したことを検知したときに行うことができる。そして、作動状態に戻ったときに、該ネットワーク要素は、該存続させた情報を用いて、該移動局の呼の関与のためのインフラストラクチャサポートの迅速な再構成を容易にすることができる。【特許請求の範囲】
【請求項１】
通信セッション中の移動局の動作状態の変化を検知することと、
前記変化を検知することに応答して、追加的な通信セッションをサポートするために使用できるメモリ容量を自動的に増加させると共に、前記通信セッション中の後の可能性のある使用のために、少なくともいくつかのセッション情報を存続させることと、
を備える方法。
【請求項２】
前記移動局の動作状態の変化を検知することが、作動状態から休止状態への動作状態の変化を検知することを備える、請求項１に記載の方法。
【請求項３】
前記移動局の動作状態の変化を検知することが、前記動作状態の変化を示すメッセージを受取ることをさらに備える、請求項１に記載の方法。
【請求項４】
前記動作状態の変化を示すメッセージを受取ることが、ＲＮＮ（Ｒａｄｉｏ  Ｎｅｔｗｏｒｋ  Ｎｏｄｅ）  ｔｏ  ＰＤＳＮ（Ｐａｃｋｅｔ  Ｄａｔａ  Ｓｅｒｖｉｎｇ  Ｎｏｄｅ）（ＲＰ）プロトコル対応メッセージを受取ることをさらに備える、請求項３に記載の方法。
【請求項５】
前記ＲＰプロトコル対応メッセージを受取ることが、ＡＣＴＩＶＥ＿ＳＴＯＰメッセージを受取ることをさらに備える、請求項４に記載の方法。
【請求項６】
前記ＡＣＴＩＶＥ＿ＳＴＯＰメッセージを受取ることが、全ての制御チャネル上のＡＣＴＩＶＥ＿ＳＴＯＰメッセージを受取ることをさらに備える、請求項５に記載の方法。
【請求項７】
前記移動局の動作状態の変化を検知することが、非作動期間の終了を検知することをさらに備える、請求項１に記載の方法。
【請求項８】
前記非作動期間の終了を検知することが、非作動期間の終了を検知することをさらに備え、その期間は、前記移動局の一部の非作動を検知したときに始まる、請求項７に記載の方法。
【請求項９】
前記移動局の動作状態の変化を検知することが、通信セッション中の作動及び非作動に関する履歴情報を用いることをさらに備える、請求項１に記載の方法。
【請求項１０】
前記通信セッション中の作動及び非作動に関する履歴情報を用いることが、作動及び非作動に関連する前記移動局に関する履歴情報を用いることをさらに備える、請求項９に記載の方法。
【請求項１１】
前記移動局の動作状態の変化を検知することが、前記移動局に関するプレゼンス情報にアクセスすることをさらに備える、請求項１に記載の方法。
【請求項１２】
前記通信セッション中の移動局の動作状態の変化を検知することが、局所的に格納された非圧縮トリガー情報を用いて、休止状態から作動状態への動作状態の変化を検知することをさらに備える、請求項１に記載の方法。
【請求項１３】
前記メモリ容量を自動的に増加させることが、前記セッション情報のうちの少なくともいくつかを圧縮することを備える、請求項１に記載の方法。
【請求項１４】
前記メモリ容量を自動的に増加させることが、前記通信セッションに対応するように、全てではなく、少なくともいくつかのセッションコンテキスト情報を削除することをさらに備える、請求項１に記載の方法。
【請求項１５】
前記メモリ容量を自動的に増加させることが、
前記通信セッションに対応するように、全てではなく、少なくともいくつかのセッションコンテキスト情報を削除し、それによって、維持されたセッションコンテキスト情報を生成することと、
前記維持されたセッションコンテキスト情報のうちの少なくともいくつかを圧縮して、圧縮された維持セッションコンテキスト情報を生成することと、
をさらに備える、請求項１に記載の方法。
【請求項１６】
前記メモリ容量を自動的に増加させることが、前記追加的な通信セッションをサポートするためのセッションコンテキスト情報も格納するメモリ内に、前記圧縮された維持セッションコンテキスト情報のうちの少なくともいくつかを格納することをさらに備える、請求項１５に記載の方法。
【請求項１７】
前記メモリ容量を自動的に増加させることが、前記追加的な通信セッションをサポートするためのセッションコンテキスト情報を格納するメモリとは別個のメモリ内に、前記圧縮された維持セッションコンテキスト情報のうちの少なくともいくつかを格納することをさらに備える、請求項１５に記載の方法。
【請求項１８】
前記通信セッション中の後の可能性のある使用のために、少なくともいくつかのセッション情報を存続させることが、呼の回復を容易にするために後に使用可能などのような種類の情報も同時に存続させることをさらに備える、請求項１に記載の方法。
【請求項１９】
前記通信セッション中の後の可能性のある使用のために、少なくともいくつかのセッション情報を存続させることが、前記通信セッション中の後の可能性のある使用のために、全てではなくいくつかのセッション情報を同時に存続させて、存続セッション情報を提供することをさらに備える、請求項１に記載の方法。
【請求項２０】
前記存続セッション情報がセッションコンテキスト情報を備える、請求項１９に記載の方法。
【請求項２１】
前記セッションコンテキスト情報が、ＲＰプロトコルセッションコンテキスト情報をさらに備える、請求項２０に記載の方法。
【請求項２２】
前記セッションコンテキスト情報が、ＰＰＰセッションコンテキスト情報をさらに備える、請求項２０に記載の方法。
【請求項２３】
前記セッションコンテキスト情報が、ＩＰセッションコンテキスト情報をさらに備える、請求項２０に記載の方法。
【請求項２４】
前記セッションコンテキスト情報が、
ＲＰプロトコルセッションコンテキスト情報と、
ＰＰＰセッションコンテキスト情報と、
ＩＰセッションコンテキスト情報と、
をさらに備える、請求項２０に記載の方法。
【請求項２５】
前記通信セッション中の前記移動局の動作状態の別の変化を検知することと、
前記別の変化を検知することに応答して、前記通信セッション中の使用のために、前記少なくともいくつかのセッション情報を自動的に検索することと、
をさらに備える、請求項１に記載の方法。
【請求項２６】
前記移動局の動作状態の別の変化を検知することが、休止状態から作動状態への変化を検知することをさらに備える、請求項２５に記載の方法。
【請求項２７】
前記少なくともいくつかのセッション情報を自動的に検索することが、セッションコンテキスト情報を自動的に検索することをさらに備える、請求項２５に記載の方法。
【請求項２８】
前記セッションコンテキスト情報を自動的に検索することが、
ＲＰプロトコルセッションコンテキスト情報、
ＰＰＰセッションコンテキスト情報、および
ＩＰセッションコンテキスト情報
のうちの少なくとも１つを備えるセッションコンテキスト情報を自動的に検索することをさらに備える、請求項２７に記載の方法。
【請求項２９】
前記少なくともいくつかのセッション情報を自動的に検索することが、前記少なくともいくつかのセッション情報のうちの少なくとも一部を自動的に解凍することをさらに備える、請求項２５に記載の方法。
【請求項３０】
前記少なくともいくつかのセッション情報を自動的に検索することが、リモートメモリから前記少なくともいくつかのセッション情報を自動的に検索することをさらに備える、請求項２５に記載の方法。
【請求項３１】
通信システム内のネットワーク要素による使用のための方法であって、
特定の移動局の特定の通信セッションに対応するようなシステムコンテキスト情報を生成することと、
前記システムコンテキスト情報をメモリに格納することと、
前記特定の通信セッション中の前記移動局の動作状態の変化を検知することと、
前記変化を検知することに応答して、前記メモリのストレージ容量を自動的に増加させると共に、存続情報が、前記特定の通信セッション中の後の使用のために使用できるように、前記システムコンテキスト情報のうちの少なくともいくつかを存続させて前記存続情報を提供することと、
を備える方法。
【請求項３２】
前記ネットワーク要素が、
ＰＤＳＮ、
サービングＧＰＲＳサポートノード、
ホームエージェント及び
ゲートウェイＧＰＲＳサポートノード
のうちの少なくとも１つを備える、請求項３１に記載の方法。
【請求項３３】
前記移動局の動作状態の変化を検知することが、作動状態から休止状態への動作状態の変化を検知することを備える、請求項３１に記載の方法。
【請求項３４】
前記ストレージ容量を自動的に増加させることが、前記セッションコンテキスト情報のうちの少なくともいくつかを圧縮することをさらに備える、請求項３１に記載の方法。
【請求項３５】
前記ストレージ容量を自動的に増加させることが、前記セッションコンテキスト情報のうちの全てではなく、少なくともいくつかを削除することをさらに備える、請求項３１に記載の方法。
【請求項３６】
前記少なくともいくつかのセッションコンテキスト情報を同時に存続させて存続情報を提供することが、前記セッションコンテキスト情報のうちの全てではなくいくつかを同時に存続させることをさらに備える、請求項１に記載の方法。
【請求項３７】
前記セッションコンテキスト情報が、
ＲＰプロトコルセッションコンテキスト情報、
ＰＰＰセッションコンテキスト情報、
ＩＰセッションコンテキスト情報、
のうちの少なくとも１つをさらに備える、請求項３１に記載の方法。
【請求項３８】
前記通信セッション中の移動局の動作状態の別の変化を検知することと、
前記別の変化を検知することに応答して、前記通信セッション中の使用のために、前記存続情報のうちの少なくともいくつかを自動的に検索することと、
をさらに備える、請求項３１に記載の方法。
【請求項３９】
前記移動局の動作状態の別の変化を検知することが、休止状態から作動状態への変化を検知することをさらに備える、請求項３８に記載の方法。
【請求項４０】
通信システム内のネットワーク要素であって、
通信セッション円滑化プラットフォームと、
前記通信セッション円滑化プラットフォームに作動可能に結合されたメモリであって、所定の移動局のための通信セッションの進行中に、前記通信セッションに対応するようなセッションコンテキスト情報からなる不十分なセットを格納する、メモリと、
を備えるネットワーク要素。
【請求項４１】
前記通信セッションに対応するようなセッションコンテキスト情報からなる不十分なセットが、後の呼の回復を容易にするための少なくとも最低限必要な情報のサブセットを備える、請求項４０に記載のネットワーク要素。
【請求項４２】
前記ネットワーク要素が、
ＰＤＳＮ、
サービングＧＰＲＳサポートノード、
ホームエージェント、および
ゲートウェイＧＰＲＳサポートノード、
のうちの少なくとも１つを備える、請求項４０に記載のネットワーク要素。
【請求項４３】
前記通信セッション中の所定の移動局の動作状態の変化を検知し、
前記変化を検知することに応答して、追加的な通信セッションをサポートするために使用できるメモリ容量を自動的に増加させると共に、前記通信セッション中の後の可能性のある使用のために、いくつかのセッション情報を存続させる、
手段をさらに備える、請求項４０に記載のネットワーク要素。
【請求項４４】
前記セッション情報を、セッションコンテキスト情報からなる不十分なセットとして格納する手段をさらに備える、請求項４３に記載のネットワーク要素。
【請求項４５】
前記通信セッション中の前記所定の移動局の動作状態の別の変化を検知し、
前記別の変化を検知することに応答して、前記通信セッション中の使用のために、セッション情報からなる不十分なセットを自動的に検索して、前記所定の移動局のための完全なセッションコンテキストを少なくとも実質的に再生成する、
手段をさらに備える、請求項４４に記載のネットワーク要素。
【発明の詳細な説明】
【技術分野】
【０００１】
［０００１］
本発明は、一般に、通信システムにおける呼処理に関し、より具体的には、呼関連情報のメモリ管理に関する。
【０００２】
背景技術
［０００２］
ＰＤＳＮ（Ｐａｃｋｅｔ  Ｄａｔａ  Ｓｅｒｖｉｎｇ  Ｎｏｄｅ）等のネットワーク要素を用いて通信を容易にすることは、当技術分野において周知である。これは、つい最近においては、２つ以上の当事者の間で、音声および／またはデータの呼等の通信セッションをサポートすることを含む。多く場合において、所定のネットワーク要素が常にサポートすることができる呼の数は、該ネットワーク全体がサポートすることができる呼の数よりも少ない。その結果、典型的には、所定のネットワークの使用可能なリソースを有効に利用するために、複数のそのようなネットワーク要素が配置される。
【０００３】
［０００３］
しかし、ネットワーク要素の限定された呼容量の一因となる様々な要因が存在する。１つの重要な原因となることは、使用可能なメモリを含む。例えば、新たな呼がＰＤＳＮに到着した場合、該ＰＤＳＮを備える異なるモジュールの各々は、対応する呼コンテキスト情報を格納するために、メモリを割当てる。典型的なＰＤＳＮシャーシは、例えば、その目的のために、それぞれの呼に対して、約３０ＫＢを割当てる。その結果、多くのＰＤＳＮは、カードごとに最大で約４０，０００の呼をサポートすることしかできない。
【０００４】
［０００４］
当然、メモリの使用可能な量を増やすことによって、使用可能なメモリを増やすことはできる。しかし、多く場合、このアプローチは魅力的ではない。メモリを増やすことは、物理的に不可能である場合がある。他の場合においては、容認できないコストの増加になる可能性がある。
【０００５】
［０００５］
上記の要求は、特に、図面と共に検討すれば、以下の詳細な説明に記載された、セッション容量を増加させる方法及びシステムの提供によって、少なくとも部分的にかなえられる。
【０００６】
［００１１］
当業者は、図中の構成要素が、単純化及び明確化のために示されており、縮尺どおりに描かれていないことを正しく理解するであろう。例えば、図中の構成要素の一部の寸法は、本発明の様々な実施形態の理解を深めるために、他の構成要素に対して誇張してもよい。また、商業的に実現可能な実施形態において有用または必要な、一般的であるが汎用的な構成要素は、本発明のそれらの様々な実施形態の図を分かりやすくするために描かれていない場合がある。また、当業者は、本願明細書で用いられている用語及び表現が、他の特定の意味が本願明細書に記載されている場合を除いて、質問及び調査に関する対応するそれぞれの分野において、それらの用語及び表現に一般的に与えられているのと同様の元の意味を有することを理解するであろう。
【０００７】
詳細な説明
［００１２］
一般的に言えば、これらの様々な実施形態に従って、許可プロセスは、通信セッション中の移動局の動作状態の変化を検知し、また、該変化の検知に応答して、追加的な通信セッションをサポートするために使用可能なメモリ容量を自動的に増加させると共に、当該通信セッション中に、後の可能性のある使用のために、少なくともいくつかのセッション情報を当該通信セッションから存続させる。
【０００８】
［００１３］
好適なアプローチにおいては、他のアプローチが利用可能であり、かつ所定の構成において好適である可能性があっても、このプロセスは、特に、作動状態から休止状態までの動作状態の変化を検知する。
【０００９】
［００１４］
また、示されたメモリ容量の増加を実施する様々な方法がある。１つのアプローチに従って、当該通信セッションに対応する、全てではなくある程度のセッションコンテキスト情報が削除される。その結果、維持されたセッションコンテキスト情報は格納される。そして、この格納された情報は、移動局が再び、この通信セッションにおいてアクティブになった場合には、直ちに検索することができる。関連するアプローチに従って、（全体的または部分的に）維持されたセッションコンテキスト情報は、そのような情報を格納する前に、圧縮することができる。
【００１０】
［００１５］
このように構成した重要なおよび／または有用なセッションコンテキスト情報は、所定の通信セッションにおける移動局の後の関与を迅速に容易にするために存続させることができ、かつ使用可能にすることができると共に、使用可能なメモリの量の動的かつ著しい増加を実施することもできる。このことは、呼ごとの平均的なストレージ要件が、典型的には低下するため、所定のネットワーク構成要素によってサポートすることができる呼の数の著しい増加につながる可能性もある。
【００１１】
［００１６］
これら及び他の便益は、以下の詳細な説明の徹底的な検討及び調査を行ったときに、より明白になる可能性がある。次に、図面、特に図１について説明すると、これらの教示は、現時点では好ましい、限定するものではないが、ＰＤＳＮ、ＧＰＲＳ（Ｇｅｎｅｒａｌ  Ｐａｃｋｅｔ  Ｒａｄｉｏ  Ｓｅｒｖｉｃｅ）サポートノード、ホームエージェント、ゲートウェイＧＰＲＳサポートノード等のネットワーク要素１０によって実行される様々な方法で実施することができる。このようなネットワーク要素１０は、要部に、メモリ１２に作動可能に結合する（または、該メモリを全体的または部分的に含む）通信セッション円滑化プラットフォーム１１を備える。
【００１２】
［００１７］
メモリ１２は、セッションコンテキスト情報をその中に格納している。より具体的には、および以下により詳細に説明するように、時々、および所定の移動局のための所定の通信セッションの進行中、このセッションコンテキスト情報は、当該通信セッションに対応するセッションコンテキスト情報の不十分なセットを備える。好適なアプローチにおいては、このセッションコンテキスト情報の不十分なセットは、所定の呼の後の回復を容易にするのに必要な情報の少なくとも最低限必要なサブセットを備える。
【００１３】
［００１８］
このメモリ１２は、様々な方法で実現することができる。例えば、このメモリ１２は、集中型ストレージプラットフォームを備えることができ、または、必要に応じて、このストレージ機能を多数のプラットフォーム上に分散させることができる。さらに、このメモリは、ネットワーク要素１０に一体化することができ、または、必要に応じて、本願明細書に記載したこのストレージ機能の一部または全てを、より遠くに配置されたメモリに割り振ることができる。このような構造上のオプションは、当技術分野においてよく理解されており、ここでは、これ以上の説明を要しない。
【００１４】
［００１９］
ＰＤＳＮを含むネットワーク要素は、典型的には、部分的または全体的にプログラム可能なプラットフォームを備える。当業者は、これらの教示と一致するように、このようなプラットフォームを容易にプログラムし、構成しかつ配置することができることを認識しかつ理解するであろう。より具体的には、このプログラミングおよび／または構成は、通信セッションの進行中に、所定の移動局の動作状態の変化を検知することができ、およびその変化の検知に応じて、追加的な通信セッションをサポートするために使用可能であるメモリ容量を自動的に増加させると共に、該通信セッション中に、後の可能性のある使用のために、いくつかのセッション情報を存続させることができるセッション円滑化プラットフォーム１１を備える。より具体的には、好適なアプローチにおいて、セッション円滑化プラットフォーム１１は、このようなセッション情報を、上述したセッションコンテキスト情報の不十分なセットとしてメモリ１２に格納する。
【００１５】
［００２０］
さらに、および好適なアプローチに従って、セッション円滑化プラットフォーム１１は、（例えば、以下により詳細に説明するような、動作の休止からアクティブモードへの変化等の）当該通信セッション中の所定の移動局の動作状態の別の変化を検知することができ、および該変化を検知することに応じて、該通信セッション中の使用のためのセッション情報の不十分なセットを自動的に検索して、該所定の移動局のための完全なセッションコンテキストを少なくとも実質的に再生成することができる。
【００１６】
［００２１］
図２について説明すると、セッションコンテキスト情報２０は、当然、アプリケーションごとに変わる。しかし、典型的な構成においては、このようなセッションコンテキスト情報２０は、（限定するものではないが、ユーザ名、パケット制御機能アドレッシング、ＧＲＥキー値、ＩＭＳＩ値等の）ＲＰ（Ｒａｄｉｏ  Ｎｅｔｗｏｒｋ  Ｎｏｄｅ  ｔｏ  ＰＤＳＮ）プロトコルセッション情報２１と、（限定するものではないが、リンク制御プロトコル情報、ＡＣＣＭマッピング、圧縮値または情報、ドメインネームサーバ値等の）ＰＰＰ（Ｐｏｉｎｔ−ｔｏ−Ｐｏｉｎｔ  Ｐｒｏｔｏｃｏｌ）セッション情報２２と、（限定するものではないが、ＩＰアドレス、インターネット状態情報等の）ＩＰ（Ｉｎｔｅｒｎｅｔ  Ｐｒｏｔｏｃｏｌ）セッション情報２３と、（限定するものではないが、モバイルＩＰフラグおよび／または識別、（例えば、プリペイドサービス、ローミングの手配、サービス品質等に関する）アカウント情報等の）所定の設定において関連があり、かつ適用可能であるような他のセッション情報２４とを備える。このようなセッションコンテキスト情報は、本実施の概してよく理解された態様を備え、そのため、追加的な詳述は、簡潔にするために、個々には記載しない。
【００１７】
［００２２］
次に図３について説明すると、これらの教示は、一般的に、通信セッション中の移動局の動作状態の変化の検知３１を実行できるプロセス３０を含む。この変化は、例えば、作動状態から休止状態までの動作状態の変化を構成する。このプロセス１０によってそのような検知を実施することができる様々な方法がある。例えば、必要に応じて、局所的に格納された非圧縮トリガー情報をこの目的のために用いることができる。別の実施例として、このプロセス１０は、プレゼンス情報が当該動作変化を反映する場合に、（例えば、プレゼンスサーバを介して使用可能になる可能性がある）移動局に関するプレゼンス情報にアクセスすることができる。
【００１８】
［００２３］
また別の実施例として、この検知は、動作状態の変化を示すメッセージを受取ることを含むことができる。例えば、許可ネットワーク要素は、この関連で、（例えば、当業者にはよく理解されるように、他のパラメータが、使用して、そのようなトリガーを他のシステム内に生成するであろう場合でも、全ての制御チャネル上のＡＣＴＩＶＥ＿ＳＴＯＰメッセージ等の）ＲＰプロトコル対応メッセージを受取ることができる。
【００１９】
［００２４］
さらに別の実施例として、この検知は、非作動期間の終了を検知することを含むことができる。例えば、上記ネットワーク要素（または、代わりに作動する代替物）は、上記移動局の一部の非作動の検出時に（カウントダウンを始めることにより、またはカウントをインクリメントすることにより）タイマーを起動させることができる。該タイマーが終了したときに、該移動局の持続性の非作動は、該移動局が現在、動作の休止状態になっていることを検知するのに用いることができる。
【００２０】
［００２５］
他の可能性ももちろん存在する。例えば、（例えば、上記移動局の作動及び非作動状態に関する）履歴情報も、そのような検知プロセスを直接または間接的に知らせるのに用いることができる。
【００２１】
［００２６］
次に、このプロセス３０は、使用可能な通信セッションをサポートするのに使用可能であるメモリ容量を自動的に増加させ３２、同時に、該通信セッション中の後の可能性のある使用のために、少なくともいくつかのセッション情報を存続させることを実行できる。メモリ容量は、様々な方法のうちの何れかを用いてそのように増加させることができる。一つの実施例として、メモリ容量は、それまでに格納したセッション情報のうちの少なくともいくつかを圧縮することによって増加させることができる。これは、該それまでに格納したセッション情報のうちのいくつかまたは全てを圧縮することを備える。別の実施例として、メモリ容量は、該通信セッションに対応するセッションコンテキスト情報のうちの全てではなく、少なくともいくつかを削除することによって、増加させることができる。より具体的には、対応する呼の後の回復に対して重要ではない、これまでに格納したセッション情報は、そのように削除することができる。
【００２２】
［００２７］
好適なアプローチにおいては、メモリ容量は、該通信セッションに対応する全てではなく、少なくともいくつかのセッションコンテキスト情報を削除し、それにより、その結果として生じたいくつかの維持セッションコンテキスト情報を生成した後、該維持したセッションコンテキスト情報のうちの少なくともいくつかを圧縮して、圧縮された維持セッションコンテキスト情報を生成することによって、増加させることができる。このため、この低減され、かつ圧縮された量の情報は、追加的な通信セッションをサポートするためのセッションコンテキスト情報も格納するメモリ内に、および／または所定のコンテキストまたはアプリケーションの要求に最も良く適合する、このようなセッションコンテキスト情報を格納するメモリから独立したメモリ内に格納することができる。
【００２３】
［００２８］
このように構成したネットワーク要素は、通信セッションが終了していないのにもかかわらず、削除および／または圧縮によって、ネットワーク要素によって（または、該ネットワーク要素に代わって）維持されるセッションコンテキスト情報の量を著しく低減する。このことも、このようなセッション中に割当てられているメモリ空間をもたらす。この追加的なメモリ空間は、追加的な呼をサポートするのに用いることができ、それによって、単一のネットワーク要素によって処理及びサポートすることができる呼の数が増加する。存続する特定の情報は、特定のアプリケーションに伴って変わる可能性がある。一般的に、そのような情報は、好ましくは、特に関連のあるセッションコンテキスト情報を含む呼の回復を容易にするために、後になって使用可能になるどのような種類の情報も備えることになる。このような情報は、例えば、ＲＰプロトコルセッションコンテキスト情報、ＰＰＰセッションコンテキスト情報、インターネットプロトコルセッションコンテキスト情報またはこれらのうちのいくつかの関連性のある組合せを備えることができる。
【００２４】
［００２９］
任意ではあるが好適なアプローチにおいては、このプロセス３０は、通信セッション中の上記移動局の動作状態の別の変化（例えば、休止状態から活動状態への変化）を検知すること３３をさらに備えることができる。このような変化を検知したとき、プロセス３０は、該通信セッション中に使用するために、上記格納したセッション情報のうちの少なくともいくつかを自動的に検索することができる３４。この検索は、そのような情報を含んでいるローカルメモリまたはリモートメモリのどちらに対しても実施することができる。好適な実施形態において、このことは、例えば、ＲＰプロトコルセッションコンテキスト情報、ＰＰＰセッションコンテキスト情報、インターネットプロトコルセッションコンテキスト情報またはこれらからなるいくつかの組合せのうちのいずれかを備えるセッションコンテキスト情報を検索することを含む。
【００２５】
［００３０］
このような検索は、上述したように情報がそれまでに圧縮されている場合の、そのように格納されたセッション情報の少なくとも一部の自動解凍も含むことができる。
【００２６】
［００３１］
このように構成したネットワーク要素は、上記移動局が休止状態から作動状態にシフトしたような場合に、復元したセッションコンテキスト情報を用いて、該移動局のための所望のレベルの接続を再現または他の方法で回復させることができる。このことは、該ネットワーク要素が、空きを作って、他の通信セッションの増量分を収容するのに使用できるようにするために、関連する情報をこれまでに削除および／または圧縮していることにもかかわらず起きる。
【００２７】
［００３２］
図４は、このようなそれまでに格納したセッション情報を削除することに関する例示的な概略図を示す。この典型的な図において、セッション情報４０は、ＲＰセッション情報、ＰＰＰセッション情報、ＩＰセッション情報及び他のセッション情報を備える。この図において、（好適な実施形態において、対応する呼の再確立に対して重要ではないＲＰセッション情報を備える）ＲＰセッション情報の第１の量４２は廃棄されて、低減された量４１の存続ＲＰセッション情報が残る。同様に、低減された量４３の存続ＰＰＰセッション情報、低減された量４４の存続ＩＰセッション情報及び低減された量４５の他のセッション情報が提供される。この時点で、必要に応じて、これらの低減された量の情報を格納することができ、ある程度の量のメモリが、他のセッションをサポートするために使用可能になる。
【００２８】
［００３３］
必要に応じて、および次に図５について説明すると、上述した存続情報５１を圧縮して、結果として生じる量の存続及び圧縮セッション情報５２を生成することができる。現在、多くの圧縮技術が知られており、将来、他の技術も間違いなく開発されるであろう。これらの教示は、いずれかの特定の圧縮技術の使用または選択に対して特に敏感ではなく、そのため、これらの教示は、そのような全ての圧縮技術と組合わせて適用可能であると見ることができる。
【００２９】
［００３４］
上述したより具体的な例示実施例において、ＲＰ、ＰＰＰ及びＩＰセッションコンテキスト情報は、当該セッション特定情報の実施例として示した。当業者は、呼回復に対して重要であると見なされた何らかの情報を同様に識別して、本願明細書に記載した利益を実現または維持するように処理することができることを正しく認識するであろう。
【００３０】
［００３５］
当業者は、これらの教示を用いて、相当のメモリ節約を実現できること、および追加的な通信セッションをサポートすることのために、それらの節約を直接的に適用することができることを正しく認識するであろう。またこのことは、ＰＤＳＮ等の現存するネットワーク要素を、このようなネットワーク要素を合理的に収容することを期待できる通信セッションの数に対して利用できるようにする。同時に、これらの利益は、上記ネットワーク要素が、例えば、上記移動局による休止状態から作動状態への変化を反映するための急速なシフトを実施するのに必要な情報の必須のコアを有する場合に、所定の通信セッションの後の部分において、該所定の移動局の後の関与をサポートすることに関する遅延または非効率で得られるものではない。
【００３１】
［００３６］
当業者は、本発明の趣旨及び範囲から逸脱することなく、幅広い変更、修正及び組合せを上述した実施形態に対して実行できること、およびそのような変更、修正及び組合せが、本発明のコンセプトの範囲内にあると見るべきであることを容認するであろう。
【図面の簡単な説明】
【００３２】
【図１】本発明の様々な実施形態に従って構成されたブロック図である。
【図２】本発明の様々な実施形態に従って構成された概略図である。
【図３】本発明の様々な実施形態に従って構成されたフロー図である。
【図４】本発明の様々な実施形態に従って構成された概略図である。
【図５】本発明の様々な実施形態に従って構成された概略図である。
【図１】
2008524960.tif 000002
【図２】
2008524960.tif 000003
【図３】
2008524960.tif 000004
【図４】
2008524960.tif 000005
【図５】
2008524960.tif 000006
【国際調査報告】
2008524960.tif 000007
2008524960.tif 000008
2008524960.tif 000009